(57)【要約】 【課題】一つの支持具で電子機器の卓上設置と壁面設置とに対応できるようにして合理化を図る。 【解決手段】支持具1は、方形の平面部3の上端から折曲げ部2が鈍角に折曲がった形状であり、平面部の表面から折曲げ部とは反対の下方向に延びるフック部4を備えている。卓上設置の場合は、電子機器11の筐体の背面に形成したスリット12に折曲げ部を挿入することにより、電子機器を起立姿勢で設置できる。壁面設置の場合は、支持具を上下反転させて壁面に接着またはネジ止めし、電子機器の筐体の背面に形成したフック係合穴13にフック部を係合させることにより、電子機器は壁面に直立姿勢で設置される。【選択図】図4
2007123347.tif 000002
【特許請求の範囲】
【請求項１】
電子機器を卓上設置または壁面設置するための支持具であって、方形の平面部と、平面部の上端から鈍角に折曲がった折曲げ部を有し、前記平面部の表面から前記折曲げ部とは反対の下方向に延びるフック部を備え、電子機器の筐体の背面に形成したスリットに前記折曲げ部を挿入することにより、電子機器を起立姿勢で卓上設置できるとともに、前記支持具を上下反転させて壁面に接着またはネジ止めし、電子機器の筐体の背面に形成したフック係合穴に前記フック部を係合させることにより、電子機器を直立姿勢で壁面設置できるように構成した電子機器の支持具。
【請求項２】
上記支持具のフック部並びに電子機器のフック係合穴を複数組設けた請求項1記載の電子機器の支持具。
【発明の詳細な説明】
【技術分野】
【０００１】
この発明は、卓上または壁に設置される電子機器の支持具に関するものであり、卓上スタンドと壁掛けホルダを兼用させた電子機器の支持具に関するものである。
【背景技術】
【０００２】
例えば、衛星放送チューナーのアダプタや、無線LANのアクセスポイントなどのように比較的小型で卓上設置と壁掛け設置の両方を想定した電子機器は、卓上設置用スタンドと壁掛け設置用ホルダとを付属させたものが多いが、殆どの場合はいずれか一方のみを使用して他方は使用しないので、使用しない方の付属品は無駄になる。
【０００３】
このような無駄を避けるための技術としては、電話機の底面を山形とし、電話機を載せるチルトベースの上面を平面部と傾斜面部とからなる谷形として、チルトベースに対する電話機の載置方向を反転させることにより卓上設置と壁掛け設置の両方に対応できるようにした電子機器の支持機構が知られている（特許文献1）。
【０００４】
上記のチルトベースを卓上に置き、平面部側に電話機の前面側が載るようにしてチルトベース上に置けば、電話機の後部はチルトベースの傾斜面部に載り、液晶表示板などがある後部側がプッシュボタンを配列した前部側に比較してやや上昇した傾斜姿勢となる。
【０００５】
電話機を壁掛け設置する場合は、チルトベースの傾斜面部が下側となる向きで壁に取付けて、電話機を正常な姿勢でチルトベースに装着すれば、液晶表示板などがある後部側が上側に位置し、プッシュボタンが配列された前部側は下側に位置し、下側が上側よりもやや手前に突き出た垂直よりやや傾斜した姿勢で電話機が保持される。
【特許文献１】特開2005-136869号公報
【発明の開示】
【発明が解決しようとする課題】
【０００６】
特許文献１記載の電子機器の支持機構は、一つのチルトベースで卓上設置と壁掛け設置の両方に対応できるが、卓上設置の場合は電子機器が水平に近い姿勢となり、電話機などのように頻繁に操作する機器には好適であるが、相応の机上面積を占有する。一方、チューナーアダプタや無線アクセスポイントなどのように、設置後には殆ど操作することがない機器を卓上設置する場合は、垂直或いは垂直に近い姿勢に保持して占有面積を可及的に抑制したほうが便利である。
【０００７】
そこで、一つで電子機器の卓上設置と壁掛け設置の両方に対応でき、且つ、卓上設置時における占有面積を抑制できる支持具を提供するために解決すべき技術的課題が生じてくるのであり、本発明は上記課題を解決することを目的とする。
【課題を解決するための手段】
【０００８】
この発明は、上記目的を達成するために提案するものであり、電子機器を卓上設置または壁面設置するための支持具であって、方形の平面部と、平面部の上端から鈍角に折曲がった折曲げ部を有し、前記平面部の表面から前記折曲げ部とは反対の下方向に延びるフック部を備え、電子機器の筐体の背面に形成したスリットに前記折曲げ部を挿入することにより、電子機器を起立姿勢で卓上設置できるとともに、前記支持具を上下反転させて壁面に接着またはネジ止めし、電子機器の筐体の背面に形成したフック係合穴に前記フック部を係合させることにより、電子機器を直立姿勢で壁面設置できるように構成した電子機器の支持具を提供するものである。
【０００９】
上記のように構成することにより、一つの支持具で電子機器の卓上設置と壁面設置とに対応することが可能となった。
【００１０】
また、上記支持具のフック部並びに電子機器のフック係合穴を複数組設けた電子機器の支持具を提供するものである。
【００１１】
複数組のフック部とフック係合穴を横または縦に並べて配置することにより、電子機器をより安定して支持できる。
【発明の効果】
【００１２】
本発明の電子機器の支持具は、一つで電子機器の卓上設置と壁面設置とに対応でき、卓上設置用と壁面設置用の支持具を付属させる必要がなくなり、付属品の無駄を排することができる。また、電子機器は卓上に起立姿勢で設置されるので水平姿勢で設置される形式のもののように広い面積を占有することがなく、使い勝手もよい。
【発明を実施するための最良の形態】
【００１３】
本発明は、電子機器を卓上設置または壁面設置するための支持具であって、方形の平面部と、平面部の上端から鈍角に折曲がった折曲げ部を有し、前記平面部の表面から前記折曲げ部とは反対の下方向に延びるフック部を備え、電子機器の筐体の背面に形成したスリットに前記折曲げ部を挿入することにより、電子機器を起立姿勢で卓上設置できるとともに、前記支持具を上下反転させて壁面に接着またはネジ止めし、電子機器の筐体の背面に形成したフック係合穴に前記フック部を係合させることにより、電子機器を直立姿勢で壁面設置できるように構成することにより、一つで電子機器の卓上設置と壁掛け設置の両方に対応でき、且つ、卓上設置時における占有面積を抑制するという目的を達成した。
【実施例１】
【００１４】
図１は、電子機器を卓上または壁に設置するための支持具1を示し、長方形プレート形の樹脂部品であり、(b)に示すように上端部分が前面側へ斜めに折曲がっていて、この折曲げ部2はその他の平面部3と鈍角をなしている。平面部3の前面左右中央には下向きのフック部4が形成されていて、壁面へネジで固定するためのネジ穴5が上下左右の四箇所に設けられている。
【００１５】
図２は、支持具1を使用する電子機器の一例として衛星放送チューナーや地上デジタル放送チューナーなどのチューナーアダプタ11を示し、外筐は箱型であって図２(c)に示すように背面の中央よりやや上に水平なスリット12が形成されている。スリット12の横幅は、支持具1の横幅と同一かやや広く、スリット12の下側には支持具1のフック部4に対応するフック係合穴13が形成されており、図２(b)(c)に示すようにフック係合穴13の内部空間は開口の内側で上方へ延長されていて、支持具1のフック部4をスライドさせて嵌合させることができる。
【００１６】
チューナーアダプタ11をデスクなどの水平面に設置する場合は、図3に示すように、チューナーアダプタ11の背面のスリット12に支持具1の折曲げ部4を挿入すれば、チューナーアダプタ11に支持具1が斜めの角度で結合され、図4に示すように、支持具1の下端とチューナーアダプタ11の底面とで二点支持の状態でチューナーアダプタ11をデスクD上に起立させて設置することができる。
【００１７】
チューナーアダプタ11を壁面に設置する場合は、支持具1を図1の姿勢から上下反転し、折曲げ部2を下にして、ネジまたは両面接着テープで壁面に固定する。そして、図5に示すように、チューナーアダプタ11のフック係合穴13の開口を支持具1のフック部4に合わせて
フック部4をフック係合穴13内へ入れ、チューナーアダプタ11を下方へスライドさせれば、フック部4の先端がフック係合穴13内の上部空間に入り込んでフック部4とフック係合穴13が係合する。
【００１８】
フック係合穴13とフック部4とを係合させたときに、支持具1の折曲げ部2がチューナーアダプタ11に干渉しないように、チューナーアダプタ11のフック係合穴13と支持具1のフック部4の位置関係を設定しておくことにより、チューナーアダプタ11の背面が支持具1の平面部3に密着してチューナーアダプタ11は垂直姿勢で壁Wに固定される。
【００１９】
尚、フック部4とフック係合穴13並びに折曲げ部2とスリット12は、所謂しまり嵌めとなる寸法関係としておき、支持具1とチューナーアダプタ11とが簡単に分離しないようにするのが好ましい。また、図示例では支持具1のフック部4とチューナーアダプタ11のフック係合穴13は一対であるが、フック部とフック係合穴の横幅をより広くしたり、フック部とフック係合穴とを左右または上下に二対以上設けたりすることにより、チューナーアダプタ11の固定状態をさらに安定化できる。
【００２０】
尚、この発明は上記の実施形態に限定するものではなく、この発明の技術的範囲内において種々の改変が可能であり、この発明がそれらの改変されたものに及ぶことは当然である。
【図面の簡単な説明】
【００２１】
【図１】本発明の支持具の一実施形態を示し、(a)は正面図、(b)は側面図である。
【図２】図1の支持具を使用するチューナーアダプタを示し、(a)は正面図、b()は側面図、(c)は背面図である。
【図３】チューナーアダプタを卓上設置する場合の支持具の取付け方を示す側面図。
【図４】卓上設置したチューナーアダプタの側面図。
【図５】チューナーアダプタを壁面設置する場合のチューナーアダプタの取付け方を示す側面図。
【図６】壁面設置したチューナーアダプタの側面図。
【符号の説明】
【００２２】
1      支持具
2      折曲げ部
3      平面部
4      フック部
5      ネジ穴
11     チューナーアダプタ
12     スリット
13     フック係合穴
【図１】
2007123347.tif 000003
【図２】
2007123347.tif 000004
【図３】
2007123347.tif 000005
【図４】
2007123347.tif 000006
【図５】
2007123347.tif 000007
【図６】
2007123347.tif 000008